(57)【特許請求の範囲】
【請求項１】
アンテナとこのアンテナを介して受信した信号により駆動電力を生成して動作する非接触式インタ−フェイスと、接触式で駆動電力の供給および信号の授受を行なう接触式インターフェイスとを有し、接触式インターフェイス又は非接触式インターフェイスにより駆動される複合ＩＣカードにおいて、
前記接触式インターフェイスを介して駆動されている間、前記アンテナと非接触式インターフェイスとの導通を遮断することにより非接触式インターフェイスの動作を動作禁止状態とする禁止手段を有することを特徴とする複合ＩＣカード。
【請求項２】
アンテナとこのアンテナを介して受信した信号により駆動電力を生成して動作する非接触式インタ−フェイスと、接触式で駆動電力の供給および信号の授受を行なう接触式インターフェイスとを有し、接触式インターフェイス又は非接触式インターフェイスにより駆動される複合ＩＣカードにおいて、
前記アンテナと非接触式インターフェイスとの導通をオン・オフするスイッチを有し、前記接触式インターフェイスを介して複合ＩＣカードに駆動電圧が印可されている間はこのスイッチをオフし非接触式インターフェイスの動作を動作禁止状態とすることを特徴とする複合ＩＣカード。
【請求項３】
接触式インターフェイスと、非接触式インターフェイスと、前記接触式インターフェイス又は非接触式インターフェイスを介して受信したデータの処理を行なう制御回路とを有し、接触式インターフェイス又は非接触式インターフェイスにより駆動される複合ＩＣカードにおいて、
前記接触式インターフェイスを介して駆動されている間は、前記非接触式インターフェイスへの切換えを制限することにより、前記非接触式インターフェイスと前記制御回路との間の信号入出力を禁止状態とする第１の禁止手段と、
前記非接触式インターフェイスを介して駆動されている間は前記接触式インターフェイスと前記制御回路との間の信号入出力を禁止状態とする第２の禁止手段とを有することを特徴とする複合ＩＣカード。
【請求項４】
駆動電力およびデータの授受を行なうための複数の接触端子から成る接触式インターフェイスと、
アンテナと、
このアンテナを介して受信した信号により駆動電力の生成および受信データの復調を行なう非接触式インターフェイスと、
接触式インターフェイス又は非接触式インターフェイスを介して受信したデータの処理を行なう制御回路と、前記非接触式インターフェイスと前記制御回路の間の接続をオン・オフする第１のスイッチと、
前記接触式インターフェイスの各接触端子と制御回路の間の接続をオン・オフする第２のスイッチとを有し、
前記接触式インターフェイスを介して駆動されている間は前記第１のスイッチをオフすることで前記非接触式インターフェイスを介しての駆動電力の生成およびデータの授受を禁止し、前記非接触式インターフェイスを介して駆動されている間は前記第２のスイッチをオフすることで前記接触式インターフェイスを介しての駆動電力の供給およびデータの授受を禁止するようにしたことを特徴とする複合ＩＣカード。
【請求項５】
接触式インターフェイスと、非接触式インターフェイスと、前記接触式インターフェイス又は非接触式インターフェイスを介して受信したデータの処理を行なう制御回路とを有し、接触式インターフェイス又は非接触式インターフェイスにより駆動される複合ＩＣカードにおいて、
前記非接触式インターフェイスを介して駆動されている間は前記接触式インターフェイスを介しての信号の入出力を禁止状態とする第１の禁止手段と、
前記接触式インターフェイスを介して駆動されている間は前記非接触式インターフェイスを介しての信号の入出力を禁止状態とする第２の禁止手段と、
前記接触式インターフェイスを介して駆動されている間は前記非接触式インターフェイスの動作を動作禁止状態とする第３の禁止手段とを有することを特徴とする複合ＩＣカード。
【請求項６】
駆動電力およびデータの授受を行なうための複数の接触端子から成る接触式インターフェイスと、
アンテナと、
このアンテナを介して受信した信号により駆動電力の生成および受信データの復調を行う非接触式インターフェイスと、
接触式インターフェイス又は非接触式インターフェイスを介して受信したデータの処理を行なう制御回賂と、
前記非接触式インターフェイスと前記制御回路の間の接続をオン・オフする第１のスイッチと、
前記接触式インターフェイスの各接触端子と制御回路の間の接続をオン・オフする第２のスイッチと、
前記アンテナと非接触式インターフェイスとの導通をオン・オフする第３のスイッチとを有し、
前記接触式インターフェイスを介して駆動されている間は前記第１のスイッチおよび第３のスイッチをオフすることで前記非接触式インターフェイスを介しての駆動電力の生成およびデータの授受を禁止し、前記非接触式インターフェイスを介して駆動されている間は前記第２のスイッチをオフすることで前記接触式インターフェイスを介しての駆動電力の供給およびデータの授受を禁止するようにしたことを特徴とする複合ＩＣカード。
【請求項７】
接触式インターフェイス及び非接触式インターフェイスを有し、接触式インターフェイス又は非接触式インターフェイスにより駆動される複合ＩＣカード用ＩＣモジュールにおいて、
前記非接触式インターフェイスを介して駆動されている間は前記接触式インターフェイスを介しての信号の入出力を禁止状態とする第１の禁止手段と、
前記接触式インターフェイスを介して駆動されている間は前記非接触式インターフェイスを介しての信号の入出力を禁止状態とする第２の禁止手段と、
前記接触式インターフェイスを介して駆動されている間は前記非接触式インターフェイスの動作を動作禁止状態とする第３の禁止手段とを有することを特徴とする複合ＩＣカード用ＩＣモジュール。
【請求項８】
アンテナを介して受信した信号により駆動電力を生成して動作する非接触式インタ−フェイスと接触式で駆動電力の供給および信号の授受を行なう接触式インターフェイスとを有し、接触式インターフェイス又は非接触式インターフェイスにより駆動される複合ＩＣカード用ＩＣモジュールにおいて、
前記接触式インターフェイスを介して駆動されている間、前記アンテナと非接触式インターフェイスとの導通を遮断することにより非接触式インターフェイスの動作を動作禁止状態とする禁止手段を有することを特徴とする複合ＩＣカード用ＩＣモジュール。
【請求項９】
アンテナを介して受信した信号により駆動電力を生成して動作する非接触式インタ−フェイスと接触式で駆動電力の供給および信号の授受を行なう接触式インターフェイスとを有し、接触式インターフェイス又は非接触式インターフェイスにより駆動される複合ＩＣカード用ＩＣモジュールにおいて、
駆動電力の供給およびデータの授受を行なうための複数の接触端子から成る接触式インターフェイスと、
アンテナを介して受信した信号により駆動電力の生成および受信データの復調を行う非接触式インターフェイスと、
接触式インターフェイス又は非接触式インターフェイスを介して受信したデータの処理を行なう制御回賂と、
前記非接触式インターフェイスと前記制御回路の間の接続をオン・オフする第１のスイッチと、
前記接触式インターフェイスの各接触端子と制御回路の間の接続をオン・オフする第２のスイッチと、
前記アンテナと非接触式インターフェイスとの導通をオン・オフする第３のスイッチとを有し、
前記接触式インターフェイスを介して駆動されている間は前記第１のスイッチおよび第３のスイッチをオフすることで前記非接触式インターフェイスを介しての駆動電力の生成およびデータの授受を禁止し、前記非接触式インターフェイスを介して駆動されている間は前記第２のスイッチをオフすることで前記接触式インターフェイスを介しての駆動電力の供給およびデータの授受を禁止するようにしたことを特徴とする複合ＩＣカード用ＩＣモジュール。
【発明の詳細な説明】
【０００１】
【発明の属する技術分野】
本発明は、接触式及び非接触式インターフェイスを有する複合ＩＣカードに係り、特に、いずれのインターフェイスから駆動された場合でも誤動作を防止することにより、複合ＩＣカードとしての信頼性を十分に確保するようにした複合ＩＣカード及び複合ＩＣカード用ＩＣモジュールに関する。
【０００２】
【従来の技術】
従来より接触式及び非接触式インターフェイスを有するＩＣカードとして、特公平４−１６８３１号公報に示されるようなものが知られている。すなわち、特公平４−１６８３１号公報に示される複合ＩＣカードは、メモリ及びＣＰＵを有すると共に、外部からの入力に応答して信号を発生するＩＣを備え、外部機器と接触して通信するための電気的接点機構と、外部機器と非接触で通信するためのアンテナ機構とを併設したカードである。
【０００３】
そして、この複合ＩＣカードは、電気的接点機構に接続した外部機器によりメモリの内容の書込み、変更が可能であり、外部機器と非接触で通信する場合にはメモリ内の特定情報を変調してアンテナ機構から出力するように構成されている。また、特開平９−３２６０２１号公報には、端末装置から供給される電圧により充電されるバッテリを内蔵した複合ＩＣカードが開示されている。
【０００４】
【発明が解決しようとする課題】
しかるに、上述したような複合ＩＣカードの解決すべき問題点は次のとおりである。
すなわち、上述したような複合ＩＣカードでは、電気的接点機構を介して外部機器に接続されて駆動されている間に、非接触式のアンテナを介して駆動された場合、もしくは、非接触式のアンテナを介して外部機器に駆動されている間に、電気的接点機構を介して外部機器から駆動された場合に誤動作を防止する対策が全くとられておらず、複合ＩＣカードとしての信頼性が十分ではないということである。
【０００５】
そこで、本発明は以上のような点に鑑みてなされたもので、接触式及び非接触式インターフェイスを有する複合ＩＣカードにおいて、いずれのインターフェイスから駆動された場合でも誤動作を防止することにより、複合ＩＣカードとしての信頼性を十分に確保するようにした複合ＩＣカード及び複合ＩＣカード用ＩＣモジュールを提供することを目的としている。
【０００７】
【課題を解決するための手段】
本発明によると、上記課題を解決するための手段として、
アンテナとこのアンテナを介して受信した信号により駆動電力を生成して動作する非接触式インタ−フェイスと、接触式で駆動電力の供給および信号の授受を行なう接触式インターフェイスとを有し、接触式インターフェイス又は非接触式インターフェイスにより駆動される複合ＩＣカードにおいて、
前記接触式インターフェイスを介して駆動されている間、前記アンテナと非接触式インターフェイスとの導通を遮断することにより非接触式インターフェイスの動作を動作禁止状態とする禁止手段を有することを特徴とする複合ＩＣカードが提供される。
【０００８】
また、本発明によると、上記課題を解決するための手段として、
アンテナとこのアンテナを介して受信した信号により駆動電力を生成して動作する非接触式インタ−フェイスと、接触式で駆動電力の供給および信号の授受を行なう接触式インターフェイスとを有し、接触式インターフェイス又は非接触式インターフェイスにより駆動される複合ＩＣカードにおいて、
前記アンテナと非接触式インターフェイスとの導通をオン・オフするスイッチを有し、前記接触式インターフェイスを介して複合ＩＣカードに駆動電圧が印可されている間はこのスイッチをオフし非接触式インターフェイスの動作を動作禁止状態とすることを特徴とする複合ＩＣカードが提供される。
【００１１】
また、本発明によると、上記課題を解決するための手段として、
３．アンテナとこのアンテナを介して受信した信号により駆動電力を生成して動作する非接触式インタ−フェイスと、接触式で駆動電力の供給および信号の授受を行なう接触式インターフェイスとを有し、接触式インターフェイス又は非接触式インターフェイスにより駆動される複合ＩＣカードにおいて、
前記アンテナと非接触式インターフェイスとの導通をオン・オフするスイッチを有し、前記接触式インターフェイスを介して複合ＩＣカードに駆動電圧が印可されている間はこのスイッチをオフし非接触式インターフェイスの動作を動作禁止状態とすることを特徴とする複合ＩＣカードが提供される。
【００１６】
また、本発明によると、上記課題を解決するための手段として、
接触式インターフェイスと、非接触式インターフェイスと、前記接触式インターフェイス又は非接触式インターフェイスを介して受信したデータの処理を行なう制御回路とを有し、前記接触式インターフェイス又は非接触式インターフェイスにより駆動される複合ＩＣカードにおいて、
前記接触式インターフェイスを介して駆動されている間は、前記非接触式インターフェイスへの切換えを制限することにより、前記非接触式インターフェイスと制御回路の間の信号入出力を禁止状態とする第１の禁止手段と、
前記非接触式インターフェイスを介して駆動されている間は前記接触式インターフェイスと前記制御回路の間の信号入出力を禁止状態とする第２の禁止手段とを有することを特徴とする複合ＩＣカードが提供される。
【００２２】
【発明の実施の形態】
以下、図面を参照しながらこの発明の実施の形態について詳細に説明する。
（第１の実施の形態）
まず、この発明による第１の実施の形態について図１乃至図３を参照して説明する。
【００２３】
図１は、この発明による複合ＩＣカードとして適用されるデータ記憶媒体としての無線コンビネーションカード（以下、単に、無線コンビカードと記す）を用いた無線カードシステムの構成を示すものである。
【００２４】
この無線カードシステムは、図１に示すように、データ処理装置としての無線カードリーダ・ライタ２００と、携帯可能で、接触式の通信機能と無線通信機能の双方の通信機能を有するデータ記憶媒体としての無線コンビカード３００とに大別される。
【００２５】
無線カードリーダ・ライタ２００は、無線コンビカード３００への読出し、書込み（記憶）コマンドの送信、読出しデータの処理、書込みデータの送信などを行うもので、図１に示すように、制御部２０７、変調回路２０４、送信用のドライバ２０３、送信アンテナ２０１、受信アンテナ２０２、受信用の増幅器２０５、復調回路２０６、キーボードなどの操作部２０９、表示部２０８、各部に動作電源を供給する電池などを主体に構成される電源部２１０、および外部装置（図示しない）と接続されるインターフェース２１１などによって構成されている。
【００２６】
無線コンビカード３００は、無線カードリーダ・ライタ２００からのコマンドの解読、データの書込み（記憶）、データの送信などを行うもので、図１に示すように、送受信アンテナとしてのループ状アンテナコイル（図示しない）と同調コンデンサ（図示しない）とからなる並列同調回路（受信手段）３０１、電源生成部（電源生成手段）３０２、復調回路（復調手段）３０３、制御ロジック回路（ＣＰＵ）３０５、変調回路（変調手段）３０４、記憶手段としてのＥＥＰＲＯＭ等で構成される不揮発性メモリ３０６、およびクロック生成回路（クロック生成手段）３０７などによって構成されている。
【００２７】
なお、無線コンビカード３００は、後述する接触式の通信機能を実行する場合に用いられるものとして、図２に示すように、外部機器と接触して応答するための電気的接点機構となる外表面に露出した８個の電気接点Ｃ１〜Ｃ８を備えている。
【００２８】
以下、無線カードリーダ・ライタ２００および無線コンビカード３００について更に詳細に説明する。
まず、無線カードリーダ・ライタ２００における無線コンビカード３００に対するデータの読出しについて説明する。
【００２９】
無線カードリーダ・ライタ２００の制御部２０７で読出しコマンドを生成し、変調回路２０４へ送る。
変調回路２０４では、任意の変調方式でコマンドを変調し、送信用のドライバ２０３へ送る。
【００３０】
ドライバ２０３では、変調信号を放射するに十分な強度まで増幅し、増幅した信号を送信アンテナ２０１へ供給する。
送信アンテナ２０１に供給された信号は空間へ放射され、無線コンビカード３００の並列同調回路３０１で受信される。
【００３１】
この受信信号は、復調回路３０３で復調されて、制御ロジック回路３０５に送られ、ここでコマンド解析が行われる。
その結果、コマンドの内容が読出しであると解読すると、制御ロジック回路３０５は、カードデータが格納されている不揮発性メモリ３０６から所定のデータを読出して変調回路３０４へ送る。
【００３２】
変調回路３０４では、カードデータを変調して、並列同調回路３０１へ供給する。
並列同調回路３０１に供給された信号は空間へ放射され、無線カードリーダ・ライタ２００の受信アンテナ２０２で受信される。
【００３３】
この受信信号は、受信用の増幅器２０５へ送られる。
増幅器２０５では、受信信号を増幅した後、復調回路２０６へ送り、ここで復調する。
【００３４】
復調された信号は、制御部２０７へ送られ、ここで所定のデータ処理が行われる。
なお、必要に応じて表示部２０８でデータ表示が可能であり、また操作部２０９でデータ入力が可能である。
【００３５】
次に、無線カードリーダ・ライタ２００における無線コンビカード３００に対するデータの書込みについて説明する。
無線カードリーダ・ライタ２００の制御部２０７で書込みコマンドおよび書込みデータを生成し、変調回路２０４へ送る。
【００３６】
変調回路２０４では、任意の変調方式でコマンドおよびデータを変調し、送信用のドライバ２０３へ送る。
ドライバ２０３では、変調信号を放射するに十分な強度まで増幅し、増幅した信号を送信アンテナ２０１へ供給する。
【００３７】
送信アンテナ２０１に供給された信号は空間へ放射され、無線コンビカード３００の並列同調回路３０１で受信される。
この受信信号は、復調回路３０３で復調されて、制御ロジック回路３０５に送られ、ここでコマンド解析が行われる。
【００３８】
その結果、コマンドの内容が書込みであると解読すると、制御ロジック回路３０５は、書込みコマンドの後に送られてくる書込みデータを不揮発性メモリ３０６の所定のアドレスに書込む。
【００３９】
無線コンビカード３００内の電源生成部３０２は、上記並列同調回路３０１での受信信号を分岐して整流することにより、無線コンビカード３００内で消費する電源を生成するものである。
【００４０】
また、無線コンビカード３００内のクロック生成回路３０７は、上記並列同調回路３０１での受信信号に基づいて、各回路を動作させるのに必要なクロックを発生するものである。
【００４１】
このクロック生成回路３０７で生成されたクロックは復調回路３０３、変調回路３０４、および制御ロジック回路３０５に出力されている。
このように、無線カードリーダ・ライタ２００は、無線コンビカード３００の並列同調回路３０１と相対向する位置に送信アンテナ２０１と受信アンテナ２０２とを接近して配置する必要がある。
【００４２】
送信アンテナ２０１からは無線コンビカード３００に対して強度の強い信号が放射される。
また、受信系は、無線コンビカード３００からの微弱信号を受信する必要があるため高感度となっている。
【００４３】
次に、上記無線コンビカード３００内の詳細な構成を、図２、図３を用いて説明する。
無線コンビカード３００には、図２、図３に示すように、カード表面に端末装置との接触端子Ｃ１（ＶＣＣ）、Ｃ２（ＲＳＴ）、Ｃ３（ＣＬＫ）、Ｃ４（将来のための予備端子：ＲＦＵ）、Ｃ５（ＧＮＤ）、Ｃ６（ＶＰＰ：未使用）、Ｃ７（Ｉ／Ｏ）、Ｃ８（将来のための予備端子：ＲＦＵ）が接触式インターフェイス４０１として配置されている。
【００４４】
無線コンビカード３００のカード内には、図２、図３に示すような１チップマイクロプロセッサ３１０が埋め込まれている。
この１チップマイクロプロセッサ３１０は、図３に示すように、上記制御ロジック回路３０５に相当する制御用のＣＰＵ（セントラル・プロセッシング・ユニット）４０５、制御プログラムを記憶するＲＯＭ４０６、暗証番号（たとえば４桁）、およびデータなどが記録されるＥＥＰＲＯＭで構成されるデータメモリ４０７、ＵＡＲＴ等で構成されるインターフェイス回路４０８、一時記憶用のＲＡＭ４０９、暗号回路４０２、Ｉ／Ｏ切替回路４０３などからなる一連のデータ処理装置を有している。
【００４５】
そして、このような無線コンビカード３００による接触式でのデータ交換に際しては、カード３００を挿入した端末装置より、接触端子Ｃ１からＶＣＣ（通常５Ｖ））端子へ電圧が供給されるとともに、接触端子Ｃ３、Ｃ２、Ｃ５を通してＣＬＫ（クロック）端子、ＲＳＴ（リセット）端子、ＧＮＤ（接地電位）端子に信号が入力され、同時に接触端子Ｃ７とＩ／Ｏポートが接続されてデータ交信が行われる。
【００４６】
上記各部はＩＣチップで構成され、１つの基板上に設けられている。
また、上記各端子とは配線により接続されていると共に、各端子とＩＣチップを搭載した基板とは、一体化されて、ＩＣモジュールとしてハンドリングされることにより、図２に示すように、カード表面に各端子が露出するようにカードに埋込まれている。
【００４７】
また、カード３００内には非接触式でのデータ交換のために、並列同調回路３０１が設けられている。
すなわち、並列同調回路３０１は、無線カードリーダライタ２００の送信アンテナ２０１からの２相位相変調波信号（第１の２相位相変調波信号）を受信するとともに、ｆ0 ／２の搬送波周波数の２相位相変調波信号（第２の２相位相変調波信号）で送信も行われるものであり、ループ状アンテナコイル３０１ａおよび同調コンデンサ３０１ｂにより構成されている。
【００４８】
この並列同調回路３０１において、ループ状アンテナコイル３０１ａからは受信と同時にｆ0 ／２の搬送波周波数で送信も行わせているが、受信電波から電源生成のための電力の確保を効率良く行わせる必要があり、このために受信した２相位相変調波信号の搬送波周波数ｆ0 に同調するようになっている。
【００４９】
上記送信のための搬送波周波数が受信する２相位相変調波信号の搬送波周波数の１／２ではなく、整数分の１であっても良い。
なお、ループ状アンテナコイル３０１ａは単に信号の授受のためのものであり、これらは１個のコイルを送受信用に兼用に設けてもよいが、送信用と受信用で別々にするようにしてもよい。
【００５０】
上記１チップマイクロプロセッサ３１０には、非接触式でのデータ交換のために、並列同調回路３０１を介してデータ交換を行なう非接触インタフェース回路４００が内蔵されている。
【００５１】
この非接触インタフェース回路４００には、上記並列同調回路３０１からの２相位相変調波信号により無線コンビカード３００内の回路全体に供給するための電源を生成する電源生成部３０２、並列同調回路３０１を介して受信したアナログ信号から動作用のクロックを生成するクロック生成回路（クロック生成手段）３０７、並列同調回路３０１を介して受信したアナログ信号を１チップマイクロプロセッサ３１０内のＣＰＵ４０５に読み込ませるためのデジタル信号に変換する復調回路（復調手段）３０３、ＣＰＵ４０５から送出される信号で発振回路出力を変調して並列同調回路３０１のループ状アンテナ（送信）コイル３０１ａから送信するための変調回路（変調手段）３０４、クロック生成回路（クロック生成手段）３０７により生成されたクロックに基づきリセット信号を生成するリセット信号生成回路３０８などによつて構成されている。
【００５２】
上記無線コンビカード３００内には、非接触式インターフェイス４００とアンテナコイル３０１ａ（並列同調回路３０１）との導通をＯＮ／ＯＦＦするスイッチ（ＳＷ）３０９が設けられている。
【００５３】
このスイッチ（ＳＷ）３０９は，通常ＯＮ（接続）状態となっているが、接触式インターフェイス４０１の接触端子Ｃ１からＶＣＣ（通常５Ｖ）端子へＶｃｃ電圧が印可されている場合には、このスイッチ（ＳＷ）３０９をＯＦＦとするように構成されている。
【００５４】
次に、本発明の無線コンビカードの動作を説明する。
例えば、カード３００を端末装置に挿入し、カード３００の接触式インターフェイス４０１の接触端子Ｃ１からＶＣＣ（通常５Ｖ））端子へＶｃｃ電圧が印可されると、上記スイッチ（ＳＷ）３０９はＯＦＦにされる。
【００５５】
そして、ＣＬＫ端子、ＲＳＴ端子、Ｉ／Ｏポートを介して接触式でのデータ交換が行われる。
すなわち、接触式でのデータ交換が行われている間は、上記スイッチ（ＳＷ）３０９はＯＦＦにされており、非接触式インターフェイス４００は全く動作しない状態に保持される。
【００５６】
このため、接触式でのデータ交換が行われている間、若しくは、接触式で駆動されている間に受信アンテナ（並列同調回路３０１）に何らかの電波を受けたとしても、上述した電源生成部３０２、クロック生成回路（クロック生成手段）３０７、復調回路（復調手段）３０３、変調回路（変調手段）３０４、リセット信号生成回路３０８の何れもが動作することなく、接触式での駆動若しくは、接触式でのデータ交換が確保される。
（第２の実施の形態）
次に、この発明の第２の実施の形態について図４を参照して説明する。
【００５７】
第２の実施の形態においては、上述した図１、図２の構成は同一であり、無線コンビカード３００内の構成が図３のものと一部異なっており、同一部分については説明を省略する。
【００５８】
無線コンビカード３００内には、非接触式インターフェイス４００とアンテナコイル（並列同調回路３０１）との導通をＯＮ／ＯＦＦするスイッチ（ＳＷ１）３０９ａが設けられている。
【００５９】
このスイッチ（ＳＷ１）３０９ａは、通常０Ｎ（接続）状態となっているが、接触式インターフェイス４０１の接触端子Ｃ１からＶＣＣ（通常５Ｖ））端子へＶｃｃ電圧が印可されている場合には、このスイッチ（ＳＷ１）３０９ａをＯＦＦとするように構成されている。
【００６０】
そして、さらに、第２の実施の形態においては、スイッチ（ＳＷ１）３０９ａの他に、非接触式インターフェイス４００の電源生成部３０２、クロック生成回路（クロック生成手段）３０７、復調回路（復調手段）３０３、変調回路（変調手段）３０４、リセット信号生成回路３０８の各々に対応してスイッチ（ＳＷ２，ＳＷ３，ＳＷ４，ＳＷ５，ＳＷ６）３１２〜３１６が設けられている。
【００６１】
これらのスイッチ（ＳＷ２，ＳＷ３，ＳＷ４，ＳＷ５，ＳＷ６）３１２〜３１６は、通常０Ｎ（接続）状態となっているが、接触式インターフェイス４０１の接触端子Ｃ１からＶＣＣ（通常５Ｖ））端子へＶｃｃ電圧が印可されている場合には、これらのスイッチ（ＳＷ２，ＳＷ３，ＳＷ４，ＳＷ５，ＳＷ６）３１２〜３１６をＯＦＦとするように構成されている。
【００６２】
そして、これらのスイッチ（ＳＷ２，ＳＷ３，ＳＷ４，ＳＷ５，ＳＷ６）３１２〜３１６は、非接触式インターフェイス４００を介しての信号の入出力を禁止するものである。
【００６３】
つまり、これらのスイッチ（ＳＷ２，ＳＷ３，ＳＷ４，ＳＷ５，ＳＷ６）３１２〜３１６を設けることにより、接触式でのデータ交換が行われている間、若しくは、接触式で駆動されている間に非接触式インターフェイス４００を介しての信号の入出力を完全に禁止し、誤動作を防ぐことができる。
【００６４】
さらに、第２の実施の形態においては、接触式インターフェイス４０１の接触端子Ｃ１（ＶＣＣ）、Ｃ２（ＲＳＴ）、Ｃ３（ＣＬＫ）、Ｃ７（Ｉ／Ｏ）の各々に対応してスイッチ（ＳＷ７，ＳＷ８，ＳＷ９，ＳＷ１０）３１７〜３２０が設けられている。
【００６５】
これらのスイッチ（ＳＷ７，ＳＷ８，ＳＷ９，ＳＷ１０）３１７〜３２０は、通常ＯＮ（接続）状熊となっているが、非接触式インターフェイス４００の電源生成部３０２からＶｃｃ電圧が印可されている場合には、これらのスイッチ（ＳＷ７，ＳＷ８，ＳＷ９，ＳＷ１０）３１７〜３２０をＯＦＦとするように構成されている。
【００６６】
これらのスイッチ（ＳＷ７，ＳＷ８，ＳＷ９，ＳＷ１０）３１７〜３２０は、接触式インターフェイス（接触端子）４０１を介しての信号の入出力を禁止するものである。
【００６７】
つまり、これらのスイッチ（ＳＷ７，ＳＷ８，ＳＷ９，ＳＷ１０）３１７〜３２０を設けることにより、非接触式でのデータ交換が行われている間、若しくは、非接触式で駆動されている間に接触式インターフェイス４０１を介しての信号の入出力を完全に禁止し、誤動作を防ぐことができる。
【００６８】
したがって、以上のような実施の形態に基づいて説明した本発明によれば、接触式インターフェイス４０１を介して駆動されている間、非接触式インターフェイス４００の動作を禁止状態とする動作禁止手段を備えているので、接触式インターフェイス４０１を介して情報交換されている間に、周囲で電波が放射されても誤動作しない。
【００６９】
また、以上のような本発明によれば、接触式インターフェイス４０１を介して駆動されている間、非接触式インターフェイス４０１とアンテナコイル３０１ａ（並列同調回路３０１）との導通を遮断する手段を備えて構成されているので、接触式インターフェイス４０１を介して情報交換されている間に、周囲で電波が放射されても受信することなく、誤動作しない。
【００７０】
また、以上のような本発明によれば、マイクロプロセッサの非接触式インターフェイス４００は並列同調回路３０１の出力により動作する電源生成部３０２、クロック生成回路（クロック生成手段）３０７、復調回路（復調手段）３０３、変調回路（変調手段）３０４、リセット信号生成回路３０８を有し、非接触式インターフェイス４００と並列同調回路３０１との導通をＯＮ／ＯＦＦするスイッチを有し、接触式インターフェイス４０１を介してＶｃｃ電圧が印可されている場合には、このスイッチをＯＦＦとするように構成されているので、接触式インターフェイス４０１を介して情報交換されている間に、周囲で電波が放射されても、非接触式インターフェイス４００は全く動作せず、誤動作しない。
【００７１】
そして、以上のような実施の形態に基づいて説明した本発明は、以下のような要旨にまとめることができる。
１．接触式インターフェイス及び非接触式インターフェイスを有し、接触式インターフェイスまたは非接触式インターフェイスにより駆動される無線コンビカードにおいて、
接触式インターフェイスを介して駆動されている間、非接触式インターフェイスの動作を禁止状態とする動作禁止手段を有することを特徴とする無線コンビカード。
【００７２】
２．接触式インターフェイスを介して駆動されている間、非接触式インターフェイスの動作を禁止状態とする動作禁止手段は、非接触式インターフェイスのアンテナコイルとの導通を遮断する手段により構成されていることを特徴とする１．に記載の無線コンビカード。
【００７３】
３．接触式インターフェイス及び非接触式インターフェイスを有し、接触式インターフェイスまたは非接触式インターフェイスにより駆動される無線コンビカードにおいて、
非接触式インターフェイスとアンテナコイルとの導通をＯＮ／ＯＦＦするスイッチを有し、接触式インターフェイスを介してＶｃｃ電圧が印可されている場合には、このスイッチをＯＦＦとするように構成されていることを特徴とする無線コンビカード。
【００７４】
４．接触式インターフェイス及び非接触式インターフェイスを有し、接触式インターフェイスまたは非接触式インターフェイスにより駆動される無線コンビカードにおいて、
非接触式インターフェイスを介して駆動されている間、接触式インターフェイスを介しての信号の入出力を禁止状態とする禁止手段を有することを特徴とする無線コンビカード。
【００７５】
５．禁止手段は接触式インターフェイスと制御回路との間の信号入出力を禁止状態とする手段を有することを特徴とする４．に記載の無線コンビカード。
６．禁止手段は接触式インターフェイスである接触端子Ｃ１（ＶＣＣ）、Ｃ２（ＲＳＴ）、Ｃ３（ＣＬＫ）、Ｃ７（Ｉ／Ｏ）の各々と制御回路との間に接続されるスイッチＳＷ７，ＳＷ８，ＳＷ９，ＳＷ１０の各々をＯＦＦとする手段を有することを特徴とする４．に記載の無線コンビカード。
【００７６】
７．接触式インターフェイス及び非接触式インターフェイスを有し、接触式インターフェイスまたは非接触式インターフェイスにより駆動される無線コンビカードにおいて、
接触式インターフェイスを介して駆動されている間、非接触式インターフェイスを介しての信号の入出力を禁止状態とする禁止手段を有することを特徴とする無線コンビカード。
【００７７】
８．禁止手段は非接触式インターフェイスと制御回路との間の信号入出力を禁止状態とする手段を有することを特徴とする７．に記載の無線コンビカード。
９．禁止手段は非接触式インターフェイスである電源生成部３０２、クロック生成回路（クロック生成手段）３０７、復調回路（復調手段）３０３、変調回路（変調手段）３０４、リセット信号生成回路の各々と制御回路との間にスイッチＳＷ２，ＳＷ３，ＳＷ４，ＳＷ５，ＳＷ６を設け、接触式インターフェイスの接触端子Ｃ１からＶＣＣ（通常５Ｖ）端子へＶｃｃ電圧が印可されている場合には、各スイッチＳＷ２，ＳＷ３，ＳＷ４，ＳＷ５，ＳＷ６をＯＦＦとするように構成されていることを特徴とする７．に記載の無線コンビカード。
【００７８】
１０．接触式インターフェイス及び非接触式インターフェイスを有し、接触式インターフェイスまたは非接触式インターフェイスにより駆動される無線コンビカードにおいて、
接触式インターフェイスを介して駆動されている間、非接触式インターフェイスを介しての信号の入出力を禁止状態とする第１の禁止手段と、非接触式インターフェイスを介して駆動されている間、接触式インターフェイスを介しての信号の入出力を禁止状態とする第２の禁止手段とを有することを特徴とする無線コンビカード。
【００７９】
【発明の効果】
以上詳述したように、この発明によれば、接触式及び非接触式インターフェイスを有する複合ＩＣカードにおいて、いずれのインターフェイスから駆動された場合でも誤動作を防止することにより、複合ＩＣカードとしての信頼性を十分に確保するようにした複合ＩＣカード及び複合ＩＣカード用ＩＣモジュールを提供することができる。
【図面の簡単な説明】
【図１】図１は、この発明による複合ＩＣカードとして適用されるデータ記憶媒体としての無線コンビネーションカード（無線コンビカード）を用いた無線カードシステムの構成を示すブロック図である。
【図２】図２は、無線コンビカードが外部機器と接触して応答するための電気的接点機構となる外表面に露出して設けられている８個の電気接点Ｃ１〜Ｃ８と、カード内に埋め込まれている１チップマイクロプロセッサ３１０を含む複合ＩＣカード用ＩＣモジュールを示す図である。
【図３】図３は、この発明の第１の実施の形態として適用される無線コンビカード３００のカード内に埋め込まれている１チップマイクロプロセッサ３１０の構成を示すブロック図である。
【図４】図４は、この発明の第２の実施の形態として適用される無線コンビカード３００のカード内に埋め込まれている１チップマイクロプロセッサ３１０の構成を示すブロック図である。
【符号の説明】
２２２…無線カードリーダ・ライタ２００、
３００…無線コンビネーションカード（無線コンビカード、複合ＩＣカード）、
２０７…制御部、
２０４…変調回路、
２０３…送信用のドライバ、
２０１…送信アンテナ、
２０２…受信アンテナ、
２０５…受信用の増幅器、
２０６…復調回路、
２０９…操作部、
２０８…表示部、
２１０…電源部、
２１１…インターフェース、
３０１…並列同調回路（受信手段）、
３０１ａ…アンテナコイル、
３０２…電源生成部（電源生成手段）、
３０３…復調回路（復調手段）、
３０５…制御ロジック回路（ＣＰＵ）、
３０４…変調回路（変調手段）、
３０６…不揮発性メモリ、
３０７…クロック生成回路（クロック生成手段）、
Ｃ１〜Ｃ８…電気接点、
３１０…１チップマイクロプロセッサ、
４０３…Ｉ／Ｏ切替回路、
４０５…ＣＰＵ（セントラル・プロセッシング・ユニット）、
４０６…ＲＯＭ、
４０７…データメモリ、
４０８…インターフェイス回路、
４０９…ＲＡＭ、
４００…非接触インタフェース回路、
３０９…スイッチ（ＳＷ、禁止手段）、
４０１…接触式インターフェイス、
３０９ａ…スイッチ（ＳＷ１、禁止手段）、
３１２〜３１６…スイッチ（ＳＷ２，ＳＷ３，ＳＷ４，ＳＷ５，ＳＷ６、禁止手段）、
３１７〜３２０…スイッチ（ＳＷ７，ＳＷ８，ＳＷ９，ＳＷ１０、禁止手段）。
【図１】
0003983885.tif 000002
【図２】
0003983885.tif 000003
【図３】
0003983885.tif 000004
【図４】
0003983885.tif 000005